(57)【要約】【課題】移動体は通信装置から提供されるサービスを継続的に受信することで、サービスの品質を向上させる。【解決手段】移動体３０からの要求に応じてサービスを提供する通信装置１０において、移動体から識別情報を受信する受信部１１と、識別情報の認証をおこなう認証部１２と、認証部での認証の結果にもとづき、正規登録された識別情報を有する移動体に対しサービスを提供するサービス提供部１３と、移動体の動きを検知する移動体検知部１４と、移動体検知部での検知の結果にもとづき、移動体の近傍の他の通信装置２０を検知する通信装置検知部１５と、通信装置検知部で検知された他の通信装置に対し、移動体に対する認証を行うことなく、移動体に前記サービスと同等のサービスを提供させる指示部１６とを備えた。【選択図】図１
2020053784.tif 000002
【特許請求の範囲】
【請求項１】
移動体からの要求に応じてサービスを提供する通信装置において、前記移動体から識別情報を受信する受信部と、前記識別情報の認証をおこなう認証部と、前記認証部での認証の結果にもとづき、正規登録された識別情報を有した移動体に対し前記サービスを提供するサービス提供部と、前記移動体の動きを検知する移動体検知部と、前記移動体検知部での検知の結果にもとづき、前記移動体の近傍の他の通信装置を検知する通信装置検知部と、前記通信装置検知部で検知された他の通信装置に対し、前記移動体に対する認証を行うことなく、前記移動体に前記サービスと同等のサービスを提供させる指示部とを備えたことを特徴とする通信装置。
【請求項２】
移動体からの要求に応じてサービスを提供する通信方法において、前記移動体から識別情報を受信する受信ステップと、前記識別情報の認証をおこなう認証ステップと、前記認証ステップでの認証の結果にもとづき、正規登録された識別情報を有した移動体に対し前記サービスを提供するサービス提供ステップと、前記移動体の動きを検知する移動体検知ステップと、前記移動体検知ステップでの検知の結果にもとづき、前記移動体の近傍の他の通信装置を検知する通信装置検知ステップと、前記通信装置検知ステップで検知された他の通信装置に対し、前記移動体に対する認証を行うことなく、前記移動体に前記サービスと同等のサービスを提供させる指示ステップとを備えたことを特徴とする通信方法。
【請求項３】
移動体からの要求に応じてサービスを提供する複数の通信装置を備えた移動体通信システムにおいて、
前記通信装置は、前記移動体から識別情報を受信する受信部と、前記識別情報の認証をおこなう認証部と、前記認証部での認証の結果にもとづき、正規登録された識別情報の移動体に対し前記サービスを提供するサービス提供部と、前記移動体の動きを検知する移動体検知部と、前記移動体検知部での検知の結果にもとづき、前記移動体の近傍の他の通信装置を検知する通信装置検知部と、前記通信装置検知部で検知された他の通信装置に対し、前記移動体に対する認証を行うことなく、前記移動体に前記サービスと同等のサービスを提供させる指示を行う指示部とを備え、
前記他の通信装置は、前記指示部からの指示を受付ける指示受付部と、前記指示受付部で受付けた指示に含まれる識別情報と移動体リストに記録されている識別情報とを比較して同じ識別情報を抽出する比較部と、前記比較部により抽出された識別情報を有した移動体に対して前記サービスと同等のサービスを提供するサービス提供部とを備えたことを特徴とする移動体通信システム。
【発明の詳細な説明】
【技術分野】
【０００１】
本願は、移動体にサービスを提供する通信装置および通信方法および移動体通信システムに関するものである。
【背景技術】
【０００２】
移動体通信において、ＬＴＥ（Ｌｏｎｇ  Ｔｅｒｍ  Ｅｖｏｌｕｔｉｏｎ）基地局などのモバイル通信の通信基地局またはアクセスポイントの近傍に、サーバを配置するモバイルエッジコンピューティング（Ｍｏｂｉｌｅ  Ｅｄｇｅ  Ｃｏｍｐｕｔｉｎｇ：ＭＥＣ）が提唱されている。例えばＭＥＣサーバをユーザに近接配置することで、通信遅延（レイテンシ）を削減し、バックホールの帯域を削減するなどのメリットが高いとして、様々なユースケースも提案されている（例えば非特許文献１）。
【０００３】
非特許文献１には、例えば、カメラで撮影したビデオストリームをＭＥＣサーバでトランスコードし、ＭＥＣサーバから低い帯域にてコア網に転送するというシステム、またはコア網にキャッシュを備え、インターネット等のコンテンツ源からのパケットをコア網で一旦キャッシュし、コア網から低い帯域のバックホール転送にてパケットをＬＴＥ基地局のＭＥＣサーバに送信してＭＥＣサーバのローカルキャッシュに格納し、端末に転送するシステムが提示されている。
【０００４】
非特許文献２には、インターネットへのアクセスの経路を切り替え、オフロードする技術が記載されている。
【０００５】
特許文献１には、会員端末は、共通サーバ装置からのホームページを受信して、ＬＣＤ（Ｌｉｑｕｉｄ  Ｃｒｙｓｔａｌ  Ｄｉｓｐｌａｙ）に表示し、表示されたホームページに含まれるサービス選択用アイコンから、この会員端末の使用者が目的とする情報提供サービスに対応するサービス選択用アイコンの選択入力を受付けて、選択された情報提供サービスの実行を共通サーバ装置に要求する。これによって、会員端末の使用者は、共通サーバ装置から目的とする情報提供サービスを受けることができるようにされている構成が開示されている。
【先行技術文献】
【特許文献】
【０００６】
【特許文献１】特開平１１−６８８２３号公報
【非特許文献】
【０００７】
【非特許文献１】”Ｍｏｂｉｌｅ  Ｅｄｇｅ  Ｃｏｍｐｕｔｉｎｇ  −  Ｉｎｔｒｏｄｕｃｔｏｒｙ  Ｔｅｃｈｎｉｃａｌ  Ｗｈｉｔｅ  Ｐａｐｅｒ”
【非特許文献２】インターネット白書２０１１、財団法人インターネット協会（監修）、インプレスジャパン  ２０１１年７月２９日刊、１３０〜１３４ページ
【発明の概要】
【発明が解決しようとする課題】
【０００８】
ＭＥＣサーバを用いたサービスにおいて、端末である移動体が移動するなどにより、サービスの継続性を確保できないことが課題である。例えば、基地局（以下、通信装置という）においてＭＥＣサーバを用いたサービスが提供されており、移動体が移動して通信装置間をハンドオーバした際に、サービスの継続性が確保できない状況が発生し得る。例えば、ある通信装置からサービスの提供を受けている移動体が、移動することにより、この移動体は移動先の別の通信装置からサービスを受ける必要がある。この際、移動体は、移動先の別の通信装置からサービスを受けるため、認証手続を要する。この認証手続のため、移動先の別の通信装置からこの移動体へのサービスの提供が、一時的に中断される。つまり、移動体は通信装置からのサービスの提供の継続性が確保されていない。
【０００９】
このような状況では、サービスが途切れる、品質（例えばＱｏＥ（Ｑｕａｌｉｔｙ  ｏｆ  Ｅｘｐｅｒｉｅｎｃｅ））が下がる等の問題が発生し、顧客満足度を著しく低下させる可能性がある。
【００１０】
本願は、上記のような課題を解決するためになされたものであり、移動体が通信装置からのサービスを継続的に受けられることで、サービスの品質を向上させることができる通信装置および通信方法および移動体通信システムを提供することを目的とするものである。
【課題を解決するための手段】
【００１１】
本願に係る通信装置は、移動体からの要求に応じてサービスを提供する通信装置において、移動体から識別情報を受信する受信部と、識別情報の認証をおこなう認証部と、認証部での認証の結果にもとづき、正規登録された識別情報を有した移動体に対しサービスを提供するサービス提供部と、移動体の動きを検知する移動体検知部と、移動体検知部での検知の結果にもとづき、移動体の近傍の他の通信装置を検知する通信装置検知部と、通信装置検知部で検知された他の通信装置に対し、移動体に対する認証を行うことなく、移動体に前記サービスと同等のサービスを提供させる指示部とを備えたものである。
【００１２】
本願に係る通信方法は、移動体からの要求に応じてサービスを提供する通信方法において、移動体から識別情報を受信する受信ステップと、識別情報の認証をおこなう認証ステップと、認証ステップでの認証の結果にもとづき、正規登録された識別情報を有した移動体に対しサービスを提供するサービス提供ステップと、移動体の動きを検知する移動体検知ステップと、移動体検知ステップでの検知の結果にもとづき、移動体の近傍の他の通信装置を検知する通信装置検知ステップと、通信装置検知ステップで検知された他の通信装置に対し、移動体に対する認証を行うことなく、移動体に前記サービスと同等のサービスを提供させる指示ステップとを備えたものである。
【００１３】
本願に係る移動体通信システムは、移動体からの要求に応じてサービスを提供する複数の通信装置を備えた移動体通信システムにおいて、通信装置は、移動体から識別情報を受信する受信部と、識別情報の認証をおこなう認証部と、認証部での認証の結果にもとづき、正規登録された識別情報の移動体に対しサービスを提供するサービス提供部と、移動体の動きを検知する移動体検知部と、移動体検知部での検知の結果にもとづき、移動体の近傍の他の通信装置を検知する通信装置検知部と、通信装置検知部で検知された他の通信装置に対し、移動体に対する認証を行うことなく、移動体に前記サービスと同等のサービスを提供させる指示を行う指示部とを備え、他の通信装置は、指示部からの指示を受付ける指示受付部と、指示受付部で受付けた指示に含まれる識別情報と移動体リストに記録されている識別情報とを比較して同じ識別情報を抽出する比較部と、比較部により抽出された識別情報を有した移動体に対して前記サービスと同等のサービスを提供するサービス提供部とを備えたものである。
【発明の効果】
【００１４】
本願は、移動体が移動しても通信装置からのサービスを継続的に受けられることで、サービスの品質を向上させることができる。
【図面の簡単な説明】
【００１５】
【図１】実施の形態１に係る通信装置を含む移動体通信システムの構成の概要を示すブロック図である。
【図２】実施の形態１に係る通信装置の動作を説明するフローチャートを示す図である。
【図３】実施の形態１に係る通信装置の担当エリアを表す図である。
【発明を実施するための形態】
【００１６】
実施の形態１．
以下、本願の実施の形態１における通信装置および移動体通信システムを図１から図３に基づいて説明する。図１は実施の形態１における通信装置を含む移動体通信システムの構成の概要を示している。
図１に示す移動体通信システムは、移動体通信システムの基地局となる２つの通信装置１０、２０と、これら通信装置１０または通信装置２０から所定のサービスを受ける移動端末などの移動体３０から構成されている。
なお、図１には２つの通信装置１０、２０しか示していないが、実際には所定距離間隔で多数の通信装置が設けられており、各通信装置１０、２０は、移動体３０からの要求に応じて様々のサービスを提供するものである。
【００１７】
通信装置１０は、受信部１１と、認証部１２と、サービス提供部１３と、移動体検知部１４と、通信装置検知部１５と、指示部１６とを備えている。
受信部１１は移動体３０のＩＤ送信部３１から送信されて来る識別情報（ＩＤ情報）を受信する。認証部１２は受信部１１で受信した移動体３０からの識別情報の認証を行う。ここで認証とは、その移動体３０が該当サービスの契約を結んでいるか、等を確認して正規登録された移動体であるか否かを確認する処理である。
【００１８】
サービス提供部１３は、認証部１２での認証の結果に基づき、適正な識別情報の移動体３０に対しサービスを提供する。サービスとは、例えば、車両と車両、車両と歩行者の安全支援サービスなどが有る。
移動体検知部１４は、移動体３０の位置または挙動（速度または加速度）によりどの方向に移動しているか、その動きを検知する。通信装置検知部１５は、移動体検知部１４による移動体３０の動きの検知結果にもとづき、移動体３０との通信が可能となる近傍エリアに存在する他の通信装置、例えばここでは通信装置２０を検知する。
【００１９】
指示部１６は、通信装置検知部１５で検知された他の通信装置２０に対し、
１）移動体３０に対する認証を行うことなく
２）移動体３０にサービスを同等に提供させる
を指示する。具体的には、後述するように識別情報（ＩＤ情報）と認証されたサービスの種類を指示することになる。
【００２０】
移動体３０は、ＩＤ送信部３１を備えている。ＩＤ送信部３１は、自身の移動体３０の識別情報（ＩＤ情報）を近くの通信装置１０に送信する。また、自身の移動体３０が他の通信装置２０のエリアに侵入した場合は、通信装置２０に自身の識別情報（ＩＤ情報）を送信する。
【００２１】
通信装置２０は、指示受付部２１と、比較部２２と、サービス提供部２３とを備えている。
指示受付部２１は、通信装置１０の指示部１６からの指示を受け付ける。比較部２２は、指示受付部２１で受付けた指示に含まれる識別情報（ＩＤ情報）と、通信装置２０が持つ移動体リストに記録されている識別情報（ＩＤ情報）とを比較して、同じ識別情報を抽出する。ここで、通信装置２０が持つ移動体リストとは、その時点でその通信装置２０が検知している移動体の識別情報（ＩＤ情報）のリストである。
【００２２】
サービス提供部２３は、比較部２２において抽出された識別情報（ＩＤ情報）の移動体に対し、通信装置１０に提供していたサービスと同等のサービスを提供する。
なお、図１に示す通信装置１０、２０は、異なる構成のように記載しているが、同じ構成になっているものである。
即ち、通信装置１０には、通信装置２０に記載した指示受付部２１と比較部２２とサービス提供部２３とを備えている。一方、通信装置２０には、通信装置１０に記載した受信部１１と認証部１２とサービス提供部１３と移動体検知部１４と通信装置検知部１５と指示部１６とを備えている。
【００２３】
次に、実施の形態１の通信装置における動作を図２のフローチャートを用いて説明する。
図２において、ステップＳ１は、移動体３０から自身の識別情報（ＩＤ情報）を通信装置１０へ送信する。ステップＳ２は、通信装置１０の受信部１１にて受信した移動体３０の識別情報（ＩＤ情報）を認証部１２で認証する。ステップＳ３は、通信装置１０の認証部１２にて認証の結果に基づき、サービス提供部１３は移動体３０へサービスを提供する。ステップＳ４は、通信装置１０の移動体検知部１４にて移動体３０の動きを検知する。例えば、移動体３０から周期的に位置または挙動（速度または加速度）を通信装置１０が取得して、移動体３０の今後の動きを予測する。
【００２４】
ステップＳ５は、通信装置１０の通信装置検知部１５にて移動体３０の動きを検知した結果に基づき、今後管理エリア内に入ると予測される移動体３０の近傍の他の通信装置２０を検知する。ステップＳ６は、通信装置１０の指示部１６から通信装置２０に対して、認証した識別情報（ＩＤ情報）を送信する。
【００２５】
ステップＳ７は、通信装置２０の指示受付部２１にて通信装置１０の指示部１６からの識別情報（ＩＤ情報）を受信し、比較部２２において指示受付部２１で受付けた指示に含まれる識別情報（ＩＤ情報）と通信装置２０の移動体リストに記録されている識別情報（ＩＤ情報）とを比較して、同じ識別情報を抽出したらサービスを提供する移動体３０として認識する。なお、このステップＳ７で行う識別情報（ＩＤ情報）の比較とは、移動体３０に対する認証を行うものではなく、単なる比較であり、認証手続に要する時間は必要ない。
【００２６】
ステップＳ８は、通信装置２０のサービス提供部２３にて、移動体３０が自身の管理エリアに入ると、移動体３０に対して通信装置１０と同様のサービスの提供を開始する。
なお、通信装置１０から通信装置２０からのサービスの引き継ぎについて記載する。
各通信装置１０、２０は担当エリアを管理しており、通信装置１０から通信装置２０の担当エリアへ移動体３０が移動した場合は、通信装置１０から通信装置２０へ引き継ぎのメッセージを送付する。
【００２７】
担当エリアのイメージ図を図３に示す。図３において、通信装置１０の担当エリアＥ１０と通信装置２０の担当エリアＥ２０の重なるエリアＥ１２に移動体３０が侵入すると、通信装置１０から引き継ぎのメッセージが通信装置２０へ送信される。この引き継ぎのメッセーは、通信装置１０の指示部１６から通信装置２０の指示受付部２１へ送信される。
なお、この引き継ぎのメッセージには、通信装置１０から移動体３０へ送信した、最終メッセージの情報が記載されており、通信装置２０は移動体３０へ、最終メッセージの次のメッセージから送信する。
【００２８】
本願は、例示的な実施の形態が記載されているが、実施の形態に記載された様々な特徴、態様、及び機能は特定の実施の形態の適用に限られるのではなく、単独で、または様々な組み合わせで実施の形態に適用可能である。
従って、例示されていない無数の変形例が、本願に開示される技術の範囲内において想定される。例えば、少なくとも１つの構成要素を変形する場合、追加する場合または省略する場合が含まれるものとする。
【産業上の利用可能性】
【００２９】
以上のように、本願は、移動体にサービスを提供する通信装置、移動体通信システム、および移動体通信ネットワークシステムに適している。
【符号の説明】
【００３０】
１０：通信装置、１１：受信部、１２：認証部、１３：サービス提供部、
１４：移動体検知部、１５：通信装置検知部、１６：指示部、
２０：通信装置、２１：指示受付部、２２：比較部、２３：サービス提供部、
３０：移動体、３１：ＩＤ送信部。
【図１】
2020053784.tif 000003
【図２】
2020053784.tif 000004
【図３】
2020053784.tif 000005
【手続補正書】
【提出日】令和1年8月19日(2019.8.19)
【手続補正１】
【補正対象書類名】特許請求の範囲
【補正対象項目名】全文
【補正方法】変更
【補正の内容】
【特許請求の範囲】
【請求項１】
移動体からの要求に応じてサービスを提供する複数の通信装置を備えた移動体通信システムにおいて、
前記通信装置は、前記移動体から識別情報を受信する受信部と、前記識別情報の認証をおこなう認証部と、前記認証部での認証の結果にもとづき、正規登録された識別情報の移動体に対し前記サービスを提供するサービス提供部と、前記移動体の動きを検知する移動体検知部と、前記移動体検知部での検知の結果にもとづき、前記移動体の近傍の他の通信装置を検知する通信装置検知部と、前記通信装置検知部で検知された他の通信装置に対し、前記移動体に対する認証を行うことなく、前記移動体に前記サービスと同等のサービスを提供させる指示を行う指示部とを備え、
前記他の通信装置は、前記指示部からの指示を受付ける指示受付部と、前記指示受付部で受付けた指示に含まれる識別情報と前記指示部からの指示を受付けた時点で前記他の通信装置が検知している移動体リストに記録されている識別情報とを比較して同じ識別情報を抽出する比較部と、前記比較部により抽出された識別情報を有した移動体に対して前記サービスと同等のサービスを提供するサービス提供部とを備えたことを特徴とする移動体通信システム。
【手続補正３】
【補正対象書類名】明細書
【補正対象項目名】０００１
【補正方法】変更
【補正の内容】
【０００１】
本願は、移動体にサービスを提供する移動体通信システムに関するものである。
【手続補正４】
【補正対象書類名】明細書
【補正対象項目名】００１０
【補正方法】変更
【補正の内容】
【００１０】
本願は、上記のような課題を解決するためになされたものであり、移動体が通信装置からのサービスを継続的に受けられることで、サービスの品質を向上させることができる移動体通信システムを提供することを目的とするものである。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】変更
【補正の内容】
【００１３】
本願に係る移動体通信システムは、移動体からの要求に応じてサービスを提供する複数の通信装置を備えた移動体通信システムにおいて、通信装置は、移動体から識別情報を受信する受信部と、識別情報の認証をおこなう認証部と、認証部での認証の結果にもとづき、正規登録された識別情報の移動体に対しサービスを提供するサービス提供部と、移動体の動きを検知する移動体検知部と、移動体検知部での検知の結果にもとづき、移動体の近傍の他の通信装置を検知する通信装置検知部と、通信装置検知部で検知された他の通信装置に対し、移動体に対する認証を行うことなく、移動体に前記サービスと同等のサービスを提供させる指示を行う指示部とを備え、他の通信装置は、指示部からの指示を受付ける指示受付部と、指示受付部で受付けた指示に含まれる識別情報と指示部からの指示を受付けた時点で他の通信装置が検知している移動体リストに記録されている識別情報とを比較して同じ識別情報を抽出する比較部と、比較部により抽出された識別情報を有した移動体に対して前記サービスと同等のサービスを提供するサービス提供部とを備えたものである。